(57)【特許請求の範囲】
【請求項１】
被測定電線路に流れる電流を検出するクランプ部と、
前記クランプ部と導通線材にて接続されたプラグと、
前記プラグを嵌入装着するジャックと、
前記ジャックに嵌入装着された前記プラグにより測定器を作動させるスイッチと、
クランプ部で検出された信号を増幅する増幅器と、
増幅器からの電気信号を処理するマイクロコンピュータと、
マイクロコンピュータの電源である電池と、
を備えた電流測定器であって、
前記プラグを前記ジャックに嵌入装着することにより、該プラグが前記スイッチをＯＮするとともに前記クランプ部で検出された信号を増幅器に伝達して前記電流測定器を作動させ、前記プラグを前記ジャックから抜き取ることにより前記スイッチをＯＦＦして前記電流測定器の作動を停止させることを特徴とする電流測定器。
【請求項２】
前記クランプ部が２基であり、前記プラグが２基であり、前記ジャックが２基であり、及び増幅器が２基である、請求項１記載の電流測定器。
【請求項３】
前記クランプ部が１基であり、前記プラグが１基であり、前記ジャックが１基であり、及び増幅器が１基である、請求項１記載の電流測定器。
【請求項４】
請求項１に記載の電流測定器を用意するステップと、
前記プラグを前記ジャックに嵌入装着し、該プラグにより前記スイッチをＯＮするとともに、前記クランプ部で検出された信号を増幅器に伝達して前記電流測定器を作動させるステップと、
前記プラグを前記ジャックから抜き取り、前記スイッチをＯＦＦし、前記電流測定器の作動を停止させるステップと
を含むことを特徴とする電流測定方法。
【発明の詳細な説明】
【技術分野】
【０００１】
本発明は、電路に流れる電流を測定するために使用される電流測定器及び測定方法に関するものである。
【背景技術】
【０００２】
従来、クランプ部と測定器本体とが一体化されたクランプメータと称呼される電流測定器が知られている（特許文献１）。
【特許文献１】特開平１１−２９５３４５号公報
【発明の開示】
【発明が解決しようとする課題】
【０００３】
計測スタート／ストップのスイッチが付設されている、従来の電流測定器の場合には、スイッチの投入を忘れ、電流の計測が未完に終わることや、一方計測終了時に電流測定器を取り外したが、スイッチの切り忘れることにより電流測定器の電池が消耗してしまうことが、一定の確率で発生する。
【課題を解決するための手段】
【０００４】
上記課題を解決するために、本発明の電流測定器および電流測定方法は、被測定電線路に流れる電流を検出するクランプ部と、クランプ部と導通線材にて接続されたプラグと、プラグが嵌入装着されるジャックと、ジャックに嵌入装着されたプラグにより測定器を作動させるスイッチと、クランプ部で検出された信号を増幅する増幅器と、増幅器からの電気信号を処理するマイクロコンピュータと、マイクロコンピュータの電源である電池とを備え、プラグをジャックに嵌入装着することにより、該プラグでスイッチをＯＮするとともに、クランプ部で検出された信号を増幅器に伝達して電流測定器を作動させ、プラグをジャックから抜き取ることにより、スイッチをＯＦＦして電流測定器の作動を停止させることを特徴とする。
【発明の効果】
【０００５】
本発明の測定器は、クランプ部を被測定電線路に取り付け、そしてクランプ部のプラグを測定器本体のジャックに嵌入装着するだけで、電力又は電流の計測をスタートでき、一方計測のストップ時に前記プラグを抜き取ることにより計測をストップできるため、従来の電流測定器の問題点である、スイッチの入れ忘れによる計測できないこと、スイッチの切り忘れによる電流測定器の電源である電池の無駄な消耗といった問題点を解消できる。
【発明を実施するための最良の形態】
【０００６】
本発明の電流測定器の実施態様である図１及び図２に示すように、クランプ部１とプラグ３が導通線材８で接続されている。測定器本体１０は、プラグ３を嵌入装着するジャック２、スイッチ５、電池１８、増幅器７、及びマイクロコンピュータ６を備えている。マイクロコンピュータ６には、検出部１１、表示部１２、制御部１３、処理部１４、送受信部１５及び記憶部１６、並びに外部のパーソナルコンピュータ等に接続するジャック１７が設けられている。なお、図１は単相２線式電路用の電流測定器であり、図２は単相３線式電路用の電流測定器である。
【０００７】
次に、本発明の電流測定器の各部及びその機能について説明する。クランプ部１は、コイルが巻き回され且つ開閉可能に形成された環状鉄心からなり、前記環状鉄心を開き、中空部に単線式又は２線式の被計測電路９それぞれを入れた後、前記環状鉄心を閉じるようにして取り付けられ、前記の被計測電路９を流れる電流から発生する電磁波を検出する。
【０００８】
クランプ部１に導通線材８で接続されたプラグ３は、測定器本体１０のジャック２に嵌入装着される。このとき、スイッチ５がＯＮし、電池１８とマイクロコンピュータ６とが接続され、同時にクランプ部１で検出された電磁波の信号が増幅器７に伝達される。マイクロコンピュータ６は、スイッチ５から伝達された電気信号を検出部１１で検出すると起動し、表示部１２を点灯させて測定器本体１０の作動を表示し、加えて増幅器７からの電気信号を処理部１４で処理し、データとして記憶部１６に格納する。
【０００９】
計測終了後、クランプ部１を、被計測電路９から取り外し、さらに測定器本体１０からプラグ３を抜き取る。プラグ３の抜き取りにより、スイッチ５がＯＦＦし、検出部１１で電気信号が検出されなくなり、マイクロコンピュータ６が停止し、電源である電池１８の消耗が避けられる。
【００１０】
次に、測定器本体１０をジャック１７により、前記データを解析するソフトを搭載した、たとえばパーソナルコンピュータなどのコンピュータに接続し、記憶部１６から送受信部１５を通じて前記データを前記コンピュータに送信して、前記コンピュータにて解析する。
【００１１】
図３は、本発明の電流測定器の作動／停止に関するフローチャートである。図１に示す単線の被測定電線路９の測定器による電流の計測に関して、前記フローチャートを説明する。
【００１２】
本発明の電流測定器は、プラグ３が測定器本体１０のジャック２に嵌入装着されていないときに、計測開始の待機状態にある。すなわち検出部１１で電気信号が検出されない状態である（ステップ１）。
【００１３】
計測者によりプラグ３がジャック２に嵌入装着されると、スイッチ５がＯＮし、マイクロコンピュータ６と電池とが接続される。検出部１１がスイッチ５の電気信号（接点情報）を検出すると、マイクロコンピュータ６が起動し、電力又は電流の計測を開始するが、検出部１１が電気信号（接点情報）を検出しない場合には、計測を開始せずに、待機状態となる（ステップ２）。
【００１４】
検出部１１が電気信号（接点情報）を検出すると、マイクロコンピュータ６が起動し、被測定電線路９を流れる電流の計測を開始し、データとして記憶する（ステップ３）。
【００１５】
計測者によりプラグ３が測定器本体１０のジャック２から抜き取られると、スイッチ５がＯＦＦし、検出部１１が電気信号（接点情報）を検出しなくなり、マイクロコンピュータ６が停止し、電力又は電流の計測が停止する（ステップ４）。
【００１６】
以上の説明から、本発明の電流測定器は、プラグ３をジャック２に嵌入装着することにより、電流の計測を開始することができ、一方プラグ３を抜き取ることにより電流の計測を停止することできる。したがって、プラグ３のジャック２への嵌入状態または抜き取り状態を視認し、電流測定器が稼動して電流が計測されているのか、電流測定器が停止して電流が計測されていないのか、どちらかを計測者が一目瞭然と判断できる。このため、スイッチの入れ忘れにより電流を計測できなかったり、スイッチの切り忘れにより電流測定器が作動し続けるために電池の無駄な消耗を来たしたりというような従来の問題点を解決できる。
【産業上の利用可能性】
【００１７】
本発明の電流測定器によれば、プラグ３の嵌入または抜き取り状態から計測の実行、停止が一目瞭然と分かるので、電力又は電流の測定作業を効率化することができる。
【図面の簡単な説明】
【００１８】
【図１】本発明の一実施形態を示す単相２線式電路用電流測定器のブロック図である。
【図２】本発明の別の実施形態を示す単相３線式電路用電流測定器のブロック図である。
【図３】本発明の電流測定器の作動／停止に関するフローチャートである。
【符号の説明】
【００１９】
１：クランプ部
２：ジャック
３：プラグ
５：スイッチ
６：マイクロコンピュータ
７：増幅器
８：導通線材
９：被測定電線路
１０：測定器本体
１１：検出部
１２：表示部
１３：制御部
１４：処理部
１５：送受信部
１６：記憶部
１７：ジャック
１８：電池
【図１】
0005108425.tif 000002
【図２】
0005108425.tif 000003
【図３】
0005108425.tif 000004